(57)【特許請求の範囲】
【請求項１】
移動体に搭載するナビゲーション装置であって、
前記移動体の現在位置を算出する現在位置算出手段と、
前記現在位置算出手段が算出した現在位置から目的地までの誘導経路上の走行距離および/または走行時間を算出する経路誘導手段と、
任意の区間の区間情報が、当該区間の走行距離および/または走行時間と当該区間の経路誘導への採用回数とに対応付けられて少なくとも１つ記憶された区間情報記憶手段と、
前記区間情報記憶手段に記憶された区間情報のうち、前記経路誘導手段が算出した走行距離または走行時間と当該区間情報に対応付けられた走行距離または走行時間との差分及び当該区間情報に対応付けられた採用回数が、所定の差分及び採用回数の条件を満たす区間情報に基づいて、当該区間の一端の地点及び他端の地点の情報を含む連想情報を出力する連想情報処理手段と、を有すること
を特徴とするナビゲーション装置。
【請求項２】
請求項１に記載のナビゲーション装置であって、
前記連想情報処理手段は、
前記条件を満たす区間情報が前記区間情報記憶手段に記憶されていない場合、前記経路誘導手段が算出した走行距離および/または走行時間を出力すること
を特徴とするナビゲーション装置。
【請求項３】
請求項１又は２に記載のナビゲーション装置であって、
区間の一方の端部に位置する地点の指定を音声で受付ける受付手段をさらに有し、
前記連想情報処理手段は、
前記条件を満たす区間情報であって、区間の一方の端部に位置する地点が前記受付手段で受付けた地点である区間の区間情報に基づいて連想情報を出力すること
を特徴とするナビゲーション装置。
【請求項４】
請求項１乃至３のいずれか一項に記載のナビゲーション装置であって、
前記目的地がユーザが予め指定した所定の地点である場合に、前記誘導経路近傍に位置するランドマークを検出し、検出したランドマーク毎に、当該ランドマークから前記目的地までの区間の区間情報を、当該区間の走行距離および/または走行時間に対応付けて前記区間情報記憶手段に記憶する区間情報更新手段をさらに有すること
を特徴とするナビゲーション装置。
【請求項５】
請求項４に記載のナビゲーション装置であって、
前記区間情報更新手段は、
前記区間の走行距離および/または走行時間を、前記誘導経路上の当該区間を構成する各リンクのリンク長および/またはリンク旅行時間を用いて計算すること
を特徴とするナビゲーション装置。
【請求項６】
請求項４に記載のナビゲーション装置であって、
前記区間情報更新手段は、
前記区間の走行距離および/または走行時間として、当該区間に対応するランドマークから前記目的地までの直線距離および/または当該直線距離の走行時間を用いること
を特徴とするナビゲーション装置。
【請求項７】
移動体に搭載するナビゲーション装置の経路誘導方法であって、
前記ナビゲーション装置は、
前記移動体の現在位置を算出し、
前記算出した現在位置から目的地までの誘導経路上の走行距離および/または走行時間を算出し、
任意の区間の区間情報が、当該区間の走行距離および/または走行時間と当該区間の経路誘導への採用回数とに対応付けられて少なくとも１つ記憶された区間情報記憶手段から、前記区間情報記憶手段に記憶された区間情報のうち、前記算出した走行距離または走行時間と当該区間情報に対応付けられた走行距離または走行時間との差分及び当該区間情報に対応付けられた前記採用回数が、所定の差分及び採用回数の条件を満たす区間情報を検索し、
前記検索した区間情報に基づいて、当該区間の一端の地点及び他端の地点の情報を含む連想情報を出力すること
を特徴とするナビゲーション装置の経路誘導方法。
【請求項８】
請求項７に記載のナビゲーション装置の経路誘導方法であって、
前記ナビゲーション装置は、
前記目的地がユーザが予め指定した所定の地点である場合に、前記誘導経路近傍に位置するランドマークを検出し、検出したランドマーク毎に、当該ランドマークから前記目的地までの区間の区間情報を、当該区間の走行距離および/または走行時間に対応付けて前記区間情報記憶手段に記憶すること
を特徴とするナビゲーション装置の経路誘導方法。
【発明の詳細な説明】
【技術分野】
【０００１】
本発明は、ナビゲーション装置に関し、特にナビゲーション装置の現在位置から目的地までの遠近感を表現する技術に関する。
【背景技術】
【０００２】
現在位置から目的地までの距離を表示する技術が知られている。このナビゲーション装置は、目的地が設定されると、目的地までの推奨経路を探索し、推奨経路を表示装置に表示する。また、車両の現在位置から目的地までの距離を算出し、算出した距離を表示装置に表示する。
【０００３】
また、特許文献１には、現在位置から目的地までに要する時間を表示する技術が開示されている。特許文献１に記載のナビゲーション装置は、目的地が設定されると、目的地までの推奨経路を探索し、推奨経路を表示装置に表示する。また、現在位置から目的地までに要する時間を算出し、表示装置に表示する。
【０００４】
【特許文献１】特開２００１−１１６５７７号公報
【発明の開示】
【発明が解決しようとする課題】
【０００５】
ところで、ナビゲーション装置は、ユーザにとって不慣れな地域で役立つものである。一方で、不慣れな地域で、目的地までの距離や時間が表示されても、ユーザによっては、その距離や時間が果たしてどのくらいのものなのか把握しにくい場合がある。
【０００６】
そこで、本発明では、現在位置から目的地までの距離や時間を、ユーザに分かり易く伝えることを目的とする。
【課題を解決するための手段】
【０００７】
上記課題を解決すべく、本発明は、現在位置から目的地までの遠近感を、ユーザが熟知している区間を用いて表す。ここで、熟知している区間とは、例えば、ユーザの自宅（主要な駅等であってもよい）から、ユーザがよく利用する施設までの区間等である。
【０００８】
例えば、本発明は、移動体に搭載するナビゲーション装置であって、
前記移動体の現在位置を算出する現在位置算出手段と、
前記現在位置算出手段が算出した現在位置から目的地までの誘導経路上の走行距離および／または走行時間を算出する経路誘導手段と、
任意の区間の区間情報が当該区間の走行距離および/または走行時間に対応付けられて少なくとも１つ記憶された区間情報記憶手段と、
前記経路誘導手段が算出した走行距離または走行時間と所定の条件を満たす走行距離または走行時間に対応付けられて前記区間情報記憶手段に記憶された区間情報に基づいて連想情報を出力する連想情報処理手段と、を有する。
【０００９】
なお、前記目的地が予め設定された地点である場合に、前記誘導経路近傍に位置するランドマークを検出し、検出したランドマーク毎に、当該ランドマークから前記目的地までの区間の区間情報を、当該区間の走行距離および/または走行時間に対応付けて前記区間情報記憶手段に記憶する区間情報更新手段をさらに設けてもよい。
【発明の効果】
【００１０】
本発明によれば、現在位置から目的地までの遠近感が、ユーザが熟知している区間によって表示装置に表示される。そのため、ユーザは、現在位置から目的地までの遠近感をより直感的に把握することが可能となる。
【発明を実施するための最良の形態】
【００１１】
以下に、本発明の実施の形態を説明する。
【００１２】
図１は本発明の一実施形態が適用された車載用ナビゲーションシステムの概略図である。図示するように、本実施形態の車載用ナビゲーションシステムは、ナビゲーション装置１と、ＧＰＳ受信機２と、車載センサ３と、入力装置４と、表示装置５と、音声出力装置６と、を有する。
【００１３】
ＧＰＳ受信機２は、複数のＧＰＳ衛星から送信されたＧＰＳ信号を受信し、所定時間（例えば１秒）毎に、これらのＧＰＳ信号を用いて現在位置情報を含むＧＰＳデータを生成し、ナビゲーション装置１に逐次出力する。
【００１４】
車載センサ３は、車速および車両の進行方位を含む車両の各種状態を検知してセンサデータを生成し、ナビゲーション装置１に逐次出力する。
【００１５】
入力装置４は、音声入力装置、操作パネル、タッチパネル等で構成され、ユーザから指示等を受け付けて、指示内容をナビゲーション装置１に送信する。
【００１６】
表示装置５は、液晶パネル等で構成され、ナビゲーション装置１から出力された映像信号（ナビ画面）を表示する。
【００１７】
音声出力装置６は、ナビゲーション装置１から出力された音声信号を音声出力する。
【００１８】
ナビゲーション装置１は、ＧＰＳ受信機２から出力されたＧＰＳデータおよび車載センサ３から出力されたセンサデータを用いて現在位置を検出し、検出した現在位置を用いて現在位置周辺の地図表示や経路誘導などを行う。図示するように、データ記憶部１１と、ユーザ操作解析部１２と、現在位置算出部１３と、経路探索部１４と、経路誘導部１５と、連想情報処理部１６と、描画処理部１７と、音声処理部１８と、を有する。
【００１９】
データ記憶部１１には、地図データテーブル１１０、連想情報テーブル１１１、および変換テーブル１１２が記憶されている。
【００２０】
地図データテーブル１１０は、地図表示や経路誘導に用いる地図データが記憶されている。図２は地図データテーブル１１０を模式的に表した図である。図示するように、地図データテーブル１１０は、地図を複数に分割することで得られるメッシュ領域毎に設けられている。地図データテーブル１１０は、メッシュ領域の識別コード（メッシュＩＤ）を登録するエントリ１１０２と、そのメッシュ領域に含まれる道路を構成する各リンクのリンクデータを登録するエントリ１１０３と、そのメッシュ領域に含まれる各ランドマークのランドマークデータを登録するエントリ１１０４と、を有する。
【００２１】
リンクデータのエントリ１１０３は、リンクの識別コード（リンクＩＤ）を登録するサブエントリ１１０３７と、リンクの開始ノードの座標を登録するサブエントリ１１０３１と、リンクの終了ノードの座標を登録するサブエントリ１１０３２と、リンクの長さを示すリンク長を登録するサブエントリ１１０３３と、リンクを走行するのに要する所要時間を示す旅行時間を登録するサブエントリ１１０３４と、開始ノードに接続するリンクのリンクＩＤを登録するサブエントリ１１０３５と、終了ノードに接続するリンクのリンクＩＤを登録するサブエントリ１１０３６と、を有する。
【００２２】
ランドマークデータのエントリ１１０４は、ランドマークの識別コード（ランドマークＩＤ）を登録するサブエントリ１１０４４と、ランドマークの名称を登録するサブエントリ１１０４１と、ランドマークの座標を登録するサブエントリ１１０４２と、ランドマークの種別を登録するサブエントリ１１０４３と、を有する。
【００２３】
連想情報テーブル１１１には、経路誘導に際して、現在位置から目的地までの距離または走行時間をユーザが熟知している区間の情報で表すための連想情報が記憶されている。図３は連想情報テーブル１１１を模式的に表した図である。図示するように、連想情報テーブル１１１は、ユーザにより予め指定された地点（例えば自宅、勤務先、主要な駅等、ユーザ指定地点と呼ぶ）毎に設けられている。連想情報テーブル１１１は、ユーザ指定地点の地点情報（名称、座標等）を登録するエントリ１１１１と、そのユーザ指定地点を一方のノードとする区間の区間データを登録するエントリ１１１２と、を有する。
【００２４】
区間データのエントリ１１１２は、区間の他方（ユーザ指定地点ではない方）のノードの地点名称を登録するサブエントリ１１１２１と、区間を構成する各リンクのリンクＩＤを登録するサブエントリ１１１２２と、区間の走行距離を登録するサブエントリ１１１２３と、区間の予想走行時間を登録するサブエントリ１１１２４と、区間の経路誘導への採用回数を登録するサブエントリ１１１２５と、を有する。
【００２５】
変換テーブル１１２は、位置情報からその位置情報により特定される地点を含むメッシュ領域のメッシュＩＤを特定するための情報が記憶されている。図４は変換テーブル１１２を模式的に表した図である。図示するように、変換テーブル１１２は、メッシュデータを登録するエントリ１１２０を有する。メッシュデータ１１２０のエントリは、メッシュＩＤを登録するサブエントリ１１２０１と、メッシュ領域を特定する座標情報（例えばメッシュ各頂点の座標）を登録するサブエントリ１１２０２と、を有する。
【００２６】
図１に戻って説明を続ける。ユーザ操作解析部１２は、入力装置４に入力されたユーザの操作内容を解析して、その操作内容に対応する処理が実行されるように、ナビゲーション装置１の各部を制御する。
【００２７】
現在位置算出部１３は、車載センサ３より出力されたセンサデータおよび/またはＧＰＳ受信機２より出力されたＧＰＳデータを用いて、車両の現在位置を逐次算出する。そして、算出した現在位置のデータを出力する。
【００２８】
経路探索部１４は、地図データテーブル１１０を用いて、指定された２地点（現在位置、目的地）間を結ぶ経路の中から、最適な経路（例えばコスト（旅行時間やリンク長）の総和が最小となるリンク）を、例えばダイクストラ法により計算する、いわゆる経路探索処理を行う。
【００２９】
経路誘導部１５は、経路探索部１４が経路探索処理によって計算した経路（推奨経路と呼ぶ）と、地図データテーブル１１０に登録されている地図データと、現在位置算出部１３が算出した車両の現在位置とを用いて、車両を目的地へ誘導する経路誘導処理を行う。例えば、経路誘導部１５は、車両の現在位置の推奨経路上における位置を監視し、当該車両が該推奨経路上の交差点等に近づいたことを検出すると、当該交差点等を直進すべきか、それとも右左折すべきかを示すデータを生成して、音声処理部１８および描画処理部１７に出力する。また、車両の現在位置から目的地までの推奨経路上の残り区間の走行距離および走行時間を算出し、算出した走行距離および走行時間を示すデータを、描画処理部１７および音声処理部１８に出力する。
【００３０】
連想情報処理部１６は、連想情報テーブル１１１を更新する（連想情報テーブル更新処理と呼ぶ）。また、連想情報処理部１６は、連想情報テーブル１１１を用いて、経路誘導部１５から出力された走行距離および/または走行時間のデータを、後述する連想情報に変換し、該連想情報を描画処理部１７および音声処理部１８に出力する（連想情報出力処理と呼ぶ）。
【００３１】
描画処理部１７は、地図データを地図データテーブル１１０から読み出す。そして、読み出した地図データが表す地図を、現在位置算出部１３が算出した車両の現在位置と共に表示する表示データを生成し、表示装置５に出力する。また、描画処理部１７は、経路誘導部１５が経路誘導処理を行っている場合、経路探索部１４が算出した推奨経路および経路誘導部１５が生成した誘導データを、地図および車両の現在位置と共に表示する表示データを生成し、表示装置５に出力する。経路誘導部１５が生成する誘導データとしては、交差点等での進行方向を示すデータ、および目的地までの残り走行距離、走行時間を示すデータなどが該当する。また、描画処理部１７は、連想情報処理部１６から連想情報を受信した場合には、経路誘導部１５が生成した目的地までの残り走行距離、走行時間を示すデータに代えて、当該連想情報を地図等と共に表示する表示データを生成し、表示装置５に出力する。
【００３２】
音声処理部１８は、経路誘導部１５が生成した誘導データを用いて、経路誘導に用いる音声データを生成し、音声出力装置６に出力する。また、音声処理部１８は、連想情報処理部１６から連想情報を受信した場合には、経路誘導部１５が生成した目的地までの残り走行距離、走行時間を示すデータに代えて、当該連想情報の音声データを生成し、音声出力装置６に出力する。
【００３３】
上記構成のナビゲーション装置１は、例えばＣＰＵと、メモリと、ＲＯＭやＨＤＤ等の外部記憶装置と、ＣＤ-ＲＯＭやＤＶＤ-ＲＯＭ等の可搬性を有する記憶媒体から情報を読み出す読取装置と、入力装置と、出力装置と、これらの各構成要素を接続するバスと、を備えたコンピュータにおいて、ＣＰＵが所定のプログラムを外部記憶装置あるいは読取装置を介して記憶媒体からメモリ上にロードし実行することで実現できる。
【００３４】
＜動作の説明＞
次に、上記構成のナビゲーション装置１の動作について説明する。
【００３５】
図５は、ナビゲーション装置１の連想情報テーブル更新処理を説明するための図である。この更新処理により、連想情報テーブルには、ユーザが指定した地点（例えば、自宅、勤務地などのユーザが熟知している地点）から、その付近のランドマークまでの区間が登録されることになる。
【００３６】
このフローは経路誘導部１５による経路誘導処理の開始をトリガとして開始される。
【００３７】
まず、連想情報処理部１６は、経路誘導部１５から経路誘導の目的地を取得する。そして、該目的地がユーザ指定地点か否か判定する。具体的には、該目的地がユーザ指定地点としてエントリ１１１１に登録されている連想情報テーブル１１１（注目テーブルと呼ぶ）が、データ記憶部１１に登録されているか否かを判断する（Ｓ１０１）。このような注目テーブルが登録されているならば（Ｓ１０１でＹＥＳ）、Ｓ１０２に進み、登録されていないならば（Ｓ１０１でＮＯ）、このフローを終了する。
【００３８】
なお、連想情報処理部１６は、予め、どの地点をユーザ指定地点として登録するかを、ユーザから入力装置４を介して受け付けている。
【００３９】
Ｓ１０２において、連想情報処理部１６は、経路誘導部１５から経路誘導に用いている推奨経路のデータを取得する。そして、地図データテーブル１１０から、推奨経路を構成する各リンクの近傍に位置するランドマーク（例えば、リンクに下ろした垂線距離が所定値以内のランドマーク）を検索する。
【００４０】
次に、連想情報処理部１６は、Ｓ１０２で検索したランドマークの中から未選択のランドマークを選択する（Ｓ１０３）。それから、連想情報処理部１６は、選択したランドマークのエントリ１１１２が注目テーブルに登録されているか否かを判断し（Ｓ１０４）、登録されているならば（Ｓ１０４でＹＥＳ）、このエントリ１１１２のサブエントリ１１１２５に登録されている採用回数をカウントアップして（Ｓ１０５）、Ｓ１１０に進む。一方、登録されていない場合（Ｓ１０４でＮＯ）、連想情報処理部１６は、選択したランドマークが注目テーブルのユーザ指定地点近傍にあるか否かを判断する（Ｓ１０６）。例えば、変換テーブル１１２を用いて、選択したランドマークを含むメッシュ領域のメッシュＩＤと、ユーザ指定地点を含むメッシュ領域のメッシュＩＤとを求め、両者が一致する場合に、選択したランドマークが注目テーブルのユーザ指定地点近傍にあると判断する。あるいは、ユーザ指定地点を中心とする所定範囲内に、選択したランドマークが存在するか否かを調べ、存在する場合に選択したランドマークが注目テーブルのユーザ指定地点近傍にあると判断する。選択したランドマークが注目テーブルのユーザ指定地点近傍にある場合は（Ｓ１０６でＹＥＳ）、Ｓ１０７に進む。一方、ない場合（Ｓ１０６でＮＯ）、Ｓ１１０に進む。
【００４１】
Ｓ１０７では、経路誘導に用いている推奨経路のデータから、選択ランドマークに隣接する推奨経路上のリンクから目的地までの区間を構成する各リンクを特定する。そして、特定した各リンクのリンクデータを地図データテーブル１１０から読み出し、読み出した各リンクのリンクデータのリンク長を加算することで、当該区間の走行距離を計算する。また、読み出した各リンクのリンクデータのリンク旅行時間を加算することで、当該区間の予想走行時間を計算する（Ｓ１０８）。
【００４２】
それから、連想情報処理部１６は、注目テーブルに新たなエントリ１１１２を追加する。そして、追加したエントリ１１１２のサブエントリ１１１２１に選択したランドマークの名称を、サブエントリ１１１２２に選択ランドマークの隣接リンクから目的地までの区間を構成する各リンクのリンクＩＤを、サブエントリ１１１２３に当該区間の走行距離を、サブエントリ１１１２４に当該区間の走行時間を、そして、サブエントリ１１１２５に採用回数「１」を登録する（Ｓ１０９）。その後、Ｓ１１０に進む。
【００４３】
Ｓ１１０において、連想情報処理部１６は、Ｓ１０２で検索したランドマークの中に未選択のランドマークがあるか否かを調べる。未選択のランドマークがあるならば（Ｓ１１０でＹＥＳ）、Ｓ１０３に戻る。一方、全てのランドマークを選択したならば（Ｓ１１０でＮＯ）、このフローを終了する。
【００４４】
以上の処理によって、経路誘導の目的地がユーザ指定地点である場合に、当該地点を一方のノードとする区間のデータが、当該ユーザ指定地点に対応する連想情報テーブル１１１に登録される。
【００４５】
図６はナビゲーション装置１の連想情報出力処理のフロー図である。このフローは、経路誘導中に行われるものであり、経路誘導部１５による経路誘導処理の開始をトリガとして開始される。
【００４６】
なお、ユーザ指定地点が複数ある場合に、どのユーザ指定地点を連想情報出力処理に用いるかは、ユーザより入力装置４を介して予め指定されているものとする。すなわち、連想情報出力処理に用いる連想情報テーブル１１１（指定テーブル）は、予め定められている。
【００４７】
図６のフローを説明する。
【００４８】
まず、連想情報処理部１６は、経路誘導部１５から経路誘導の目的地を取得し、該目的地がユーザ指定地点として登録されているか否か判定する、具体的には、該目的地がエントリ１１１１に登録されている連想情報テーブル１１１が、データ記憶部１１に登録されているか否かを判断する（Ｓ２０１）。登録されているならば（Ｓ２０１でＹＥＳ）、このフローを終了する。ユーザが熟知した地域で、連想情報を出力する必要はないからである。一方、登録されていない場合（Ｓ２０１でＮＯ）、連想情報処理部１６は、Ｓ２０２に進む。
【００４９】
Ｓ２０２において、連想情報処理部１６は、経路誘導部１５から新たに出力される走行距離および走行時間を示すデータを取得する。そして、取得した走行距離との差分が所定距離（例えば５００ｍ）以内であり且つサブエントリ１１１２５に登録されている採用回数が所定回数（例えば５回）以上のエントリ１１１２、あるいは、取得した走行時間との差分が所定時間（例えば３分）以内であり且つサブエントリ１１１２５に登録されている採用回数が所定回数（例えば５回）以上のエントリ１１１２を、指定テーブルから検索する（Ｓ２０３）。このようなエントリ１１１２が複数ある場合は、その中で差分が最も小さいエントリ１１１２あるいは採用回数が最も多いエントリ１１１２を、指定テーブルから検索する。
【００５０】
このようなエントリ１１１２を指定テーブルから検索できなかった場合（Ｓ２０３でＮＯ）、連想情報処理部１６は、経路誘導部１５から取得した走行距離および走行時間を、描画処理部１７および音声処理部１８に出力し（Ｓ２０４）、Ｓ２０２に戻る。一方、このようなエントリ１１１２を指定テーブルから検索できた場合（Ｓ２０３でＹＥＳ）、連想情報処理部１６は、このエントリ１１１２のサブエントリ１１１２１に登録されている地点名称と、指定テーブルのエントリ１１１１に登録されているユーザ指定地点とを用いて、連想情報を生成する。例えば、予め用意された雛形メッセージ「ＸＸからＹＹまでの＊＊に相当します」の「ＸＸ」にユーザ指定地点を挿入し、「ＹＹ」にサブエントリ１１１２の地点名称を挿入し、そして、「＊＊」に走行距離あるいは走行時間を挿入して連想情報を生成する。そして、生成した連想情報を、描画処理部１７および音声処理部１８に出力し（Ｓ２０５）、Ｓ２０２に戻る。
【００５１】
以上の処理によって、経路誘導に際して、図７（Ａ）に示すように、目的地までの遠近感が走行距離および/または走行時間７０１で画面表示、音声出力されていたものが、図７（Ｂ）に示すように、当該走行距離あるいは走行時間に相当する区間であって、ユーザが熟知している区間に基づいて生成された連想情報７０２で画面表示、音声出力される。
【００５２】
以上、本実施形態の一実施形態について説明した。
【００５３】
本実施形態によれば、現在位置から目的地までの遠近感が、ユーザが熟知している区間によってユーザに提示される。そのため、ユーザは、現在位置から目的地までの遠近感をより直感的に把握することが可能となる。
【００５４】
なお、本発明は上記の実施形態に限定されるものではなく、その要旨の範囲内で数々の変形が可能である。
【００５５】
例えば、連想情報出力処理（図６参照）の最中において、ユーザからの指示に従い注目テーブルを変更できるようにしてもよい。この場合において、ユーザ操作解析部１２に音声認識処理部を設け、音声入力装置を介してユーザ操作解析部１２に入力されたユーザ音声に対して音声認識処理を施すことでユーザの操作内容を解析し、ユーザの注目テーブルを変更する指示（例えばユーザ指定地点の変更指示）を認識してもよい。例えば、ユーザ指定地点を設定するモードにおいて、ユーザが「横浜」と発話した場合、音声認識処理部は、マイクロホン（不図示）を介して、それを音声認識する。そして、連想情報処理部１６は、「横浜（座標）」を、ユーザ指定地点に設定する。
【００５６】
また、頻繁に目的地に設定される地点を、ユーザ指定地点として登録するようにしてもよい。例えば、連想情報処理部１６は、所定回数（例えば、５回）以上、目的地として設定された地点を、ユーザ指定地点に登録する。こうすれば、ユーザが熟知していると思われる地点を自動的にユーザ指定地点に登録することができる。
【００５７】
また、経路誘導処理において、通常（デフォルト設定）は、現在位置から目的地までの推奨経路上の走行距離および/または走行時間を画面表示・音声出力し、音声入力装置を介してユーザ操作解析部１２に入力されたユーザ音声がユーザ指定地点の設定指示である場合に、連想情報処理部１６が当該ユーザ指定地点に対応する連想情報テーブル１１１を用いて図６のＳ２０２以降を実施してもよい。そして、Ｓ２０５の実施により、現在位置から目的地までの遠近感をユーザが熟知している区間でユーザに提示したならば、その後、図６のフローを終了して、自動的にデフォルト設定に戻すようにしてもよい。
【００５８】
また、本実施形態では、連想情報テーブル更新処理（図５）のＳ１０８において、選択ランドマークに隣接する推奨経路上のリンクから目的地までの区間を構成する各リンクのリンク長、リンク旅行時間をそれぞれ加算することで、当該区間の走行距離、走行時間を計算している。しかし、本発明はこれに限定されない。例えば、選択ランドマークから目的地までの直線距離および当該直線距離を所定の移動速度で移動した場合の移動時間を、上記区間の走行距離、走行時間として計算してもよい。
【図面の簡単な説明】
【００５９】
【図１】図１は本発明の一実施形態が適用された車載用ナビゲーションシステムの概略図である。
【図２】図２は図１に示すデータ記憶部１１に記憶されている地図データテーブル１１０を模式的に表した図である。
【図３】図３は図１に示すデータ記憶部１１に記憶されている連想情報テーブル１１１を模式的に表した図である。
【図４】図４は図１に示すデータ記憶部１１に記憶されている変換テーブル１１２を模式的に表した図である。
【図５】図５は図１に示すナビゲーション装置１の連想情報テーブル更新処理のフローを説明するための図である。
【図６】図６は図１に示すナビゲーション装置１の連想情報出力処理のフローを説明するための図である。
【図７】図７は連想情報出力処理での表示画面（ナビゲーション画面）の一例を示す図である。
【符号の説明】
【００６０】
１…ナビゲーション装置、２…ＧＰＳ受信機、３…車載センサ、４…入力装置、５…表示装置、６…音声出力装置、１１…データ記憶部、１２…ユーザ操作解析部、１３…現在位置算出部、１４…経路探索部、１５…経路誘導部、１６…連想情報処理部、１７…描画処理部、１８…音声処理部、１１０…地図データテーブル、１１１…連想情報テーブル、１１２…変換テーブル
【図１】
0004758277.tif 000002
【図２】
0004758277.tif 000003
【図３】
0004758277.tif 000004
【図４】
0004758277.tif 000005
【図５】
0004758277.tif 000006
【図６】
0004758277.tif 000007
【図７】
0004758277.tif 000008